(57)【特許請求の範囲】
【請求項１】
イオンを発生させる第１イオン発生器と、
イオンを発生させる第２イオン発生器と、
前記第１イオン発生器で発生させたイオンを含む気体媒体の流路を形成する第１ダクトと、
前記第２イオン発生器で発生させたイオンを含む気体媒体の流路を形成する第２ダクトと、
前記第１ダクトの内壁面を形成する第１導電性層と、
前記第２ダクトの内壁面を形成する第２導電性層とを有し、
前記第１イオン発生器は、前記第２イオン発生器が発生させるイオンと異極のイオンを発生させ、
前記第１導電性層と前記第２導電性層は、抵抗器を介して電気的に接続されていることを特徴とするイオン発生装置。
【請求項２】
前記第１導電性層は、直流電源器の一方の電極に接続されていることを特徴とする請求項１に記載のイオン発生装置。
【発明の詳細な説明】
【技術分野】
【０００１】
本発明は、正イオン及び負イオンを発生させるイオン発生装置に関する。
【背景技術】
【０００２】
近年、室内の空気の浄化、殺菌あるいは消臭などを行なうために、イオン発生装置が使用されている。このようなイオン発生装置の多くは、負イオンだけを発生させるイオン発生装置と、正イオン及び負イオンを発生させるイオン発生装置の２種類に大別される。
【０００３】
前者のイオン発生装置は、リラックス効果を生むことができ、後者のイオン発生装置は、空気中に浮遊するカビ菌又はウィルスの分解、ニオイの除去、集塵等などの効果を生むことができるとされている。
【０００４】
従来の正イオン及び負イオンを発生させるイオン発生装置としては、正イオン又は負イオンを放出するために形成された各々の流路の途中に、正イオン又は負イオンを発生させるイオン発生器を各々配設し、送風機から送出される空気とともに、発生させた正イオン及び負イオンを各々の流路の放出口から外部空間に放出するものが知られている。ここで、該イオン発生装置のイオン発生器は、放電電極間に高圧の放電電圧を印加することにより、正イオン又は負イオンを発生させている。
【０００５】
また、発生させたイオンの一部は、流路を形成するダクトの内壁面に衝突するので、内壁面をイオンの極性と同極性に帯電させることになるが、この内壁面を帯電させている電荷量は、時間の経過にともなって徐々に増加する。内壁面が同極性に帯電していると、発生させたイオンは、内壁面から反発力を受けるが、内壁面の帯電電荷量が増加することに伴い、該反発力も徐々に大きくなっていく。これにより、該イオンが内壁面に衝突する機会が減少し、結果的に流路空間内のイオン量は増加する。
【０００６】
しかしながら、流路空間内のイオン量が増加しすぎると、流路空間内のイオンは、放出口方向へ移動できなくなったり、又は放出口と逆方向に移動したりすることとなり、結果的に高濃度のイオンが放出されなくなるという課題があった。
【０００７】
このような従来技術の課題に対し、内壁面の電荷量を良好な状態に保って、高濃度のイオンを放出させる試みが特許文献１に開示されている。
【０００８】
特許文献１には、図３に示す空調ダクト装置が開示されている。該空調ダクト装置には、可変抵抗器１４１が設けられており、導電体の空気搬送路１３１に電荷を蓄えることができるようになっている。ここで可変抵抗器１４１の一端は該空気搬送路１３１、他端はアース１８０に各々電気的に接続されている。
【先行技術文献】
【特許文献】
【０００９】
【特許文献１】特開２００２−２７７０１０号公報
【発明の概要】
【発明が解決しようとする課題】
【００１０】
特許文献１に記載されている空調ダクト装置において、可変抵抗器を該装置の筐体に接続することでは、筐体全体が帯電して高濃度のイオンが十分に放出されなくなってしまう。このことから、可変抵抗器に接続されているアース線を、例えばＡＣコンセントのアース線接続用端子に接続して利用する必要があった。
【００１１】
しかしながら、一般的にアース線の接続は利用者に委ねられることから、アースされずに使用される場合があり、このような場合、高濃度のイオンが十分に放出されなくなってしまう。
【００１２】
本発明は、このような課題に鑑みてなされたものであり、その目的は、アース接続しなくても、内壁面の電荷量を良好な状態に保って、高濃度のイオンを発生させることが可能なイオン発生装置を提供することにある。
【課題を解決するための手段】
【００１３】
本発明のイオン発生装置は、イオンを発生させる第１イオン発生器と、イオンを発生させる第２イオン発生器と、第１イオン発生器で発生させたイオンを含む気体媒体の流路を形成する第１ダクトと、第２イオン発生器で発生させたイオンを含む気体媒体の流路を形成する第２ダクトと、第１ダクトの内壁面を形成する第１導電性層と、第２ダクトの内壁面を形成する第２導電性層とを有し、第１イオン発生器は、第２イオン発生器が発生させるイオンと異極のイオンを発生させ、第１導電性層と第２導電性層は、抵抗器を介して電気的に接続されていることを特徴とする。
【００１５】
また好ましくは、第１導電性層は、直流電源器の一方の電極に接続されていることを特徴とする。
【発明の効果】
【００１６】
本発明のイオン発生装置では、流路を形成するダクト毎にアース接続しなくても、内壁面の電荷量を良好な状態に保ち、高濃度のイオンを発生することができる。
【図面の簡単な説明】
【００１７】
【図１】第１の実施の形態に係るイオン発生装置１の概略構成を示す図である。
【図２】第２の実施の形態に係るイオン発生装置２の概略構成を示す図である。
【図３】従来の空調ダクト装置の構成図である。
【発明を実施するための形態】
【００１８】
〔第１の実施の形態〕
図１は、第１の実施の形態に係るイオン発生装置１の概略構成を示し、本図を用いて本発明の実施形態について説明する。
【００１９】
イオン発生装置１は、第１ダクト１０、負イオン発生ユニット１５、第２ダクト２０、正イオン発生ユニット２５、送風機ユニット６０から構成されている。
【００２０】
ここで、ダクト１０及びダクト２０は、送風又は吸入された気体媒体を外部に放出するための流路が形成されたダクトの一実施形態を示している。
【００２１】
また、流路の形成は、筒形状の空洞部分が気体媒体の流路になるように、誘電体材質の単一部材又は複数部材の組み合せによって形成される。ここで、流路の形状は、流路全体にわたって断面寸法が均一でありかつ流路方向に直線的なものを採用しているが、該形状に限定されるものではない。
【００２２】
送風機ユニット６０は、気体媒体を流路の上流から下流に移動させ、外部に放出するための一実施形態を示す。したがって、該送風機ユニット６０は、流路の上流側に配設され、送風することによって気体媒体を上流から下流にまで移動させる。ここで、流路の下流側に配設し吸入することによって気体媒体を上流から下流にまで移動させる態様としても構わない。
【００２３】
図１において、ダクト１０は、送風された気体媒体を、発生させたイオンとともに外部に放出するための第１流路１１を形成し、ダクト２０は、送風された気体媒体を、発生させたイオンとともに外部に放出するための第２流路２１を形成する。
【００２４】
第１流路１１は、第１ダクト１０と負イオン発生ユニット１５の連結によって形成され、第２流路２１は、第２ダクト２０と正イオン発生ユニット２５の連結によって形成される。
【００２５】
また送風機ユニット６０には送風機６１が設けられており、装置外部から取り入れた空気等の気体媒体を、第１ダクト１０の送入口１２及び第２ダクト２０の送入口２２に送風する。
【００２６】
ここで、負イオン発生ユニット１５及び正イオン発生ユニット２５は、送風又は吸入された気体媒体を外部に放出するまでの流路内において、イオンを発生させるための一実施形態を示している。イオンを発生させるイオン発生器の配設に係り、流路を形成するダクトの壁面にイオン発生器を配設し、壁面方向から流路内にイオンを発生させる態様が考えられるが、このような態様に限定されるものではない。
【００２７】
図１において、負イオン発生ユニット１５及び正イオン発生ユニット２５は、送風機ユニット６０に連結されている。そして負イオン発生ユニット１５は、送風機ユニット６０から送風される気体媒体を送入する第１送入口１２と、該第１送入口１２から第１ダクト１０までの第１流路１１を形成する。また第２イオン発生ユニット２５は、送風機ユニット６０から送風される気体媒体を送入する第２送入口２２と、該第２送入口１２から第２ダクト２０までの第２流路２１を形成する。
【００２８】
そして、負イオン発生ユニット１５には、負イオンを第１流路１１に発生させる負イオン発生器５０、正イオン発生ユニット２５には、正イオンを第２流路２１に発生させる正イオン発生器５５が各々配設されている。
【００２９】
また、第１ダクト１０及び第２ダクト２０には、流路の内壁表面に帯電した電荷を回収するために、流路の内壁表面に沿って導電性層が形成される。
【００３０】
図１において、第１ダクト１０には第１流路１１の内壁表面を形成する第１導電性層３０、第２ダクト２０には第２流路２１の内壁表面を形成する第２導電性層３５が各々形成されている。ここで、第１流路１１又は第２流路２１の内壁表面を誘電体層で形成し、第１流路１１又は第２流路２１に沿って第１導電性層３０又は第２導電性層３５が形成される態様としても構わない。
【００３１】
そして、第１導電性層３０と第２導電性層３５は、高抵抗に調整された可変抵抗器４０を介して、電気的に接続されている。ここで、本実施形態において、可変抵抗器４０を接続するイオン発生装置を例示しているが、固定抵抗器を採用することも可能である。しかしながら、可変抵抗器を用いることで、温度、湿度などの周辺環境、またはイオン発生量や風量などの装置の稼働条件などに応じて、該可変抵抗器の抵抗値を適宜調整することが可能となる。
【００３２】
このように、本発明のイオン発生装置１では、高抵抗の可変抵抗器４０を介して、第１導電性層３０と、異極に帯電している第２導電性層３５とを電気的に接続することで、第１導電性層３０が形成されている第１流路１１の内壁面に蓄積された電荷を回収している。一方で、高抵抗の可変抵抗器４０を介して、第２導電性層３５と、異極に帯電している第１導電性層３０とを電気的に接続することで、第２導電性層３５が形成されている第２流路２１の内壁面に蓄積された電荷を回収している。
【００３３】
このことから、第１導電性層３０又は第２導電性層３５を電気的にアース接続しなくても、第１流路１１の内壁面又は第２流路２１の内壁面の電荷量を良好な状態に保つことができ、高濃度のイオンを発生させることができる。
【００３４】
〔第２の実施の形態〕
図２は、第２の実施の形態に係るイオン発生装置２の概略構成を示し、本図を用いて本発明の実施形態について説明する。なお、前述した構成要素と同一の構成要素には、同一の参照符号を付している。従って、これらの構成要素の説明は省略する。
【００３５】
また、イオン発生装置２は、上述したイオン発生装置１との比較において、直流電源器４５を含んで構成される点でのみ異なっている。
【００３６】
図２に示されるように、第１導電性層３０は、直流電源器４５の一方の電極と接続されている。ここで、直流電源器４５の他方の電極は、第１導電層３０と接続されずに、例えばアース接続される。また、イオン発生装置２では、第１導電性層３０に直流電源器４５を接続しているものとしているが、第２導電性層３５に直流電源器４５を接続するものとしても構わない。
【００３７】
このように、本発明のイオン発生装置２では、第１導電性層３０に直流電流器４５が接続されていることから、直流電源器４５によって第１流路１１の内壁面の電荷量を調整することができる。そして、可変抵抗器４０によって第２流路２１の内壁面の電荷量を調整することができる。
【００３８】
このことから、第１流路１１又は第２流路２１毎に、内壁面の電荷量を良好な状態に調整することができる。
【００３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４０】
１  イオン発生装置
１０  第１ダクト
１１  第１流路
１２  第１送入口
１５  負イオン発生ユニット
２０  第２ダクト
２１  第２流路
２２  第２送入口
２５  正イオン発生ユニット
３０  第１導電性層
３５  第２導電性層
４０  可変抵抗器
４５  直流電源器
５０  負イオン発生器
５５  正イオン発生器
６０  送風機ユニット
６１  送風機
【要約】
【課題】  流路を形成するダクト毎にアース接続しなくとも、内壁面の電荷量を良好な状態に保って、高濃度のイオンを発生させることが可能なイオン発生装置を提供することを目的とする。
【解決手段】  負イオンを発生させる負イオン発生器５０と、正イオンを発生させる正イオン発生器５５と、負イオン発生器５０で発生させたイオンを含む気体媒体の第１流路１１を形成する第１ダクト１０と、正イオンを含む気体媒体の第２流路２１を形成する第２ダクト２０と、第１ダクト１０の内壁面を形成する第１導電性層３０と、第２ダクトの内壁面を形成する第２導電性層３５とを有し、第１導電性層３０と第２導電性層３５は、可変抵抗器４０を介して電気的に接続されている。
【選択図】  図１【図１】
0005201754.tif 000002
【図２】
0005201754.tif 000003
【図３】
0005201754.tif 000004